(57)【特許請求の範囲】
【請求項１】
音声信号をパルスの形に変調するパルス変調手段と、
前記パルス変調手段の出力信号を次段のパルス増幅手段を駆動するのに最適な信号へ増幅するドライバ手段と、
前記ドライバ手段の出力信号に応じてパルス信号を生成するパルス増幅手段と、
コイル及びコンデンサを含み、前記パルス増幅手段の出力信号から音声信号を復調する復調手段と、
前記復調手段の出力側となる、前記コイル及び前記コンデンサの接続点と、直流電源の正極及び／又は負極との間に接続したダイオードと、を備え、
前記復調手段は、負荷が接続される場合にローパスフィルタとして機能し、前記負荷が接続されない場合に共振回路として機能し、前記ダイオードは、前記復調手段に前記負荷が接続されない場合に前記パルス増幅手段に流入する増幅電流を抑制する音声信号再生装置。
【請求項２】
音声信号をパルスの形に変調するパルス変調手段と、
前記パルス変調手段の出力信号を次段のパルス増幅手段を駆動するのに最適な信号へ増幅するドライバ手段と、
前記ドライバ手段の出力に応じてパルス信号を生成するパルス増幅手段と、
コイル及びコンデンサを含み、前記パルス増幅手段の出力信号から音声信号を復調する復調手段と、
前記復調手段の出力側となる、前記コイル及び前記コンデンサの接続点と、正電源及び／又は負電源との間に接続したダイオードと、を備え、
前記復調手段は、負荷が接続される場合にローパスフィルタとして機能し、前記負荷が接続されない場合に共振回路として機能し、前記ダイオードは、前記復調手段に前記負荷が接続されない場合に前記パルス増幅手段に流入する増幅電流を抑制する音声信号再生装置。
【請求項３】
請求項２記載の音声信号再生装置において、
前記ドライバ手段は、２系列の前記パルス増幅手段、前記復調手段及び前記ダイオードが接続されるＢＴＬ方式のドライバであって、それぞれの前記パルス増幅手段に互いに位相の異なる前記出力信号を出力する音声信号再生装置。
【発明の詳細な説明】
【０００１】
【発明の属する技術分野】
本発明は例えばスーパーオーディオＣＤ等の再生に使用して好適な音声信号再生装置に関する。
【０００２】
【従来の技術】
近年、音声信号再生装置はスピーカを駆動する電力増幅回路として、アナログの電力増幅回路に比較し、デジタルの電力増幅回路が電力損失が小さく電力変換効率が良いことから、このデジタルの電力増幅回路が使用されつつある。
【０００３】
従来のこのデジタルの電力増幅回路を使用した音声信号再生装置として例えば図６に示す如きものが提案されている。
この図６に示す如き従来の音声信号再生装置につき説明するに、図６において、１は音声信号が供給される音声信号入力端子を示し、この音声信号入力端子１に供給される音声信号をこの音声信号をパルス信号に変調するパルス変調器２に供給する。
【０００４】
このパルス変調器２としては、例えばこの音声信号をパルス幅変調するパルス幅変調器（ＰＷＭ変調器）、この音声信号をΔΣ（デルタ−シグマ）変調するΔΣ変調器等が用いられる。このパルス変調器２の出力信号をドライバ回路３に供給する。このドライバ回路３においては次段のパルス増幅回路４を駆動するのに最適な信号に増幅する如くする。
【０００５】
このドライバ回路３の互に位相の異なる駆動信号が得られる出力端子３ａ及び３ｂを夫々パルス増幅回路４を構成するスイッチング素子例えばパワーＭＯＳ電界効果トランジスタ４ａ及び４ｂの制御端子即ちゲートに夫々接続し、このスイッチング素子４ａの一方の被制御端子例えばドレインを直流電源（電圧ＶＣ）の正極に接続される電源端子４ｃに接続する。
【０００６】
このスイッチング素子４ａの他方の被制御端子例えばソースをスイッチング素子４ｂの一方の被制御端子例えばドレインに接続し、このスイッチング素子４ｂの他方の被制御端子例えばソースを直流電源の負極が接続されるグランドに接続する。
【０００７】
このスイッチング素子４ａの他方の被制御端子及びスイッチング素子４ｂの一方の被制御端子の接続点即ち出力端子４ｄをプリント配線板のパターンによる分布抵抗５、コイル６ａ及び直流阻止用のコンデンサ７の直列回路を介してスピーカ接続端子８の一方の端子８ａに接続し、このコイル６ａ及びコンデンサ７の接続点をコンデンサ６ｂを介して接地する。このコイル６ａ及びコンデンサ６ｂはローパスフィルタを構成し、パルス信号の復調器６を構成する。またスピーカ接続端子８の他方の端子８ｂを接地し、このスピーカ接続端子８の一方及び他方の端子８ａ及び８ｂにスピーカ９の一方及び他方の端子を着脱自在に接続する如くする。
【０００８】
またこの出力端子４ｄをコイル６ａで蓄積されたエネルギーが原因で生じる電流（フリーホイール（Ｆｒｅｅ  Ｗｈｅｅｌｉｎｇ）電流）がスイッチング素子４ａ，４ｂを破壊しないように設けたダイオード１０のアノード及びダイオード１１のカソードに接続し、このダイオード１０のカソードを電源端子４ｃに接続し、このダイオード１１のアノードを接地する。
【０００９】
斯る図６の従来例においては、ドライバ回路３からの出力駆動信号に応じてパルス増幅回路（電力増幅回路）４のスイッチング素子４ａ及び４ｂは図７Ａ及びＢに示す如く、オン及びオフが交互に繰り返され、このパルス増幅回路４の出力端子４ｄに図７Ｃに示す如き電圧Ｖ０及び図７Ｄに示す如き電流Ｉ０のパルス信号が得られる。
【００１０】
このパルス信号はコイル６ａ及びコンデンサ６ｂより成るローパスフィルタ構成の復調器６によりアナログの音声信号に復調される。このときコイル６ａに蓄積されたエネルギーが原因で生じるフリーホイール電流はダイオード１０及び１１を介して電源端子４ｃ及びグランドに流れ、スイッチング素子４ａ及び４ｂを破壊することがない。
【００１１】
【発明が解決しようとする課題】
ところで、斯る、図６に示す如き従来の音声信号再生装置において、図８に示す如くスピーカ端子８にスピーカ９が接続されていないときは復調器６を構成するコイル６ａ及びコンデンサ６ｂより成るローパスフィルタは負荷であるスピーカ９が接続されていないので直列共振回路を構成することとなる。
【００１２】
このスピーカ９が接続されていないときに音声信号入力端子１に音声信号が供給されたときは、この復調器６を構成するコイル６ａ及びコンデンサ６ｂより成る直列共振回路の直列共振周波数ω０でインピーダンスが略零となり、大電流が流れ、この為にスイッチング素子４ａ，４ｂに大電流が流れ、このスイッチング素子４ａ，４ｂを破壊する懼れがある。
【００１３】
即ち、パルス増幅回路４の出力端子４ｄに得られる出力パルス信号の電圧をＶ０、このパルス信号の角周波数をω、このパルス信号の電流をＩ０、抵抗５の抵抗値をＲ、コイル６ａのインダクタンス値をＬ、コンデンサ６ｂの容量値をＣとしたとき、この出力パルス信号の電圧Ｖ０は、
0004461637.tif 000002
で表される。
【００１４】
また、このときの復調器の出力点即ちコイル６ａ及びコンデンサ６ｂの接続点に得られる電圧Ｖ１は
0004461637.tif 000003
である。
【００１５】
この式（１）及び（２）より
Ｉ０＝ωＣＶ１  ‥‥（３）
となる。
【００１６】
ここで、このコイル６ａ及びコンデンサ６ｂの直列共振回路の共振条件は
0004461637.tif 000004
であり、直列共振角周波数ω０は
0004461637.tif 000005
であり、直列共振周波数ｆ０は
0004461637.tif 000006
である。
【００１７】
この出力パルス信号の電流Ｉ０の周波数特性は図９に示す如く、直列共振周波数ｆ０のとき（共振現象のとき）に最大電流Ｉ０
0004461637.tif 000007
となり、このときの復調器６の出力電圧Ｖ１は
0004461637.tif 000008
であり、この式（６）及び（７）より
0004461637.tif 000009
である。
【００１８】
この場合、一般にプリント配線板のパターンによる抵抗５の抵抗値Ｒは数１０ｍΩのオーダーで極めて小さいので、この共振現象のときの電流Ｉ０は極めて大きな値となる。
【００１９】
例えば、このプリント配線板のパターンによる抵抗５の抵抗値Ｒ＝０．０１Ω、コイル６ａのインダクタンス値Ｌ＝２２μＨ、コンデンサ６ｂの容量値Ｃ＝２．２μＦ、パルス信号の出力電圧Ｖ０＝１００ｍＶｐｐとしたとき、このパルス信号の出力電流Ｉ０＝１０Ａ（ｆ０＝２２．８ｋＨｚ）の大電流が発生する。
【００２０】
上述したように、図６に示す如く、スピーカ９を復調器６に接続して、音声信号を再生するときに、抵抗５を流れる電流よりも、図８に示す如くこのスピーカ９を復調器６に接続しないで、この復調器６のコイル６ａ及びコンデンサ６ｂが直列共振回路を構成し、この共振現象のときにこの抵抗５を流れる電流の方がはるかに大きい。
【００２１】
即ちこの共振現象のときに抵抗５を流れる電流が大電流であるため、このときはパルス増幅回路４を構成するスイッチング素子４ａ，４ｂが破壊又は故障する懼れがある不都合があった。また、復調器が２次以上の多段のＬＣフィルタであってもコイルとコンデンサとによる構成のローパスフィルタであれば、共振現象を生じるので、上述の不都合が生じる。
【００２２】
本発明は斯る点に鑑み、負荷を接続しないときに、復調器の共振周波数近傍の情報を持つ音声信号が入力されても、パルス増幅回路の破壊や故障を発生しないようにすることを目的とする。
【００２３】
【課題を解決するための手段】
本発明に係る音声信号再生装置は音声信号をパルスの形に変調するパルス変調手段と、このパルス変調手段の出力信号を次段のパルス増幅手段を駆動するのに最適な信号へ増幅するドライバ手段と、このドライバ手段の出力信号に応じてパルス信号を生成するパルス増幅手段と、コイル及びコンデンサを含み、このパルス増幅手段の出力信号から音声信号を復調する復調手段とを備える音声信号再生装置において、この復調手段の出力側となる、コイル及びコンデンサの接続点と、直流電源の正極及び／又は負極との間に接続したダイオードと、を備え、復調手段は、負荷が接続される場合にローパスフィルタとして機能し、負荷が接続されない場合に共振回路として機能し、ダイオードは、復調手段に負荷が接続されない場合にパルス増幅手段に流入する増幅電流を抑制するものである。
また本発明に係る音声信号再生装置は、音声信号をパルスの形に変調するパルス変調手段と、このパルス変調手段の出力信号を次段のパルス増幅手段を駆動するのに最適な信号へ増幅するドライバ手段と、このドライバ手段の出力に応じてパルス信号を生成するパルス増幅手段と、コイル及びコンデンサを含み、このパルス増幅手段の出力信号から音声信号を復調する復調手段とを備える音声信号再生装置において、この復調手段の出力側となる、コイル及びコンデンサの接続点と、正電源及び／又は負電源との間に接続したダイオードと、を備え、復調手段は、負荷が接続される場合にローパスフィルタとして機能し、負荷が接続されない場合に共振回路として機能し、ダイオードは、復調手段に負荷が接続されない場合にパルス増幅手段に流入する増幅電流を抑制するものである。
【００２４】
復調手段は、負荷が接続される場合にローパスフィルタとして機能し、復調手段に負荷を接続せず、復調手段の共振現象のときにこの復調手段の出力信号の電圧は増大しようとするが、本発明によればダイオードによりこの電圧が制限され、この復調手段の出力信号の電圧が制限されれば、式（８）に示すようにこの復調手段の出力信号の電圧と比例関係にあるので、このパルス増幅手段の出力電流も制限され、このパルス増幅手段が破壊されることがない。
【００２５】
【発明の実施の形態】
以下、図１〜図４を参照して本発明音声信号再生装置の実施の形態の例につき説明しよう。この図１において、図６に対応する部分には同一符号を付して示す。
【００２６】
図１において、１は音声信号が供給される音声信号入力端子を示し、この音声入力端子１に供給される音声信号をこの音声信号をパルス信号に変調するパルス変調器２に供給する。
【００２７】
このパルス変調器２としては例えばこの音声信号をパルス幅変調するパルス幅変調器（ＰＷＭ変調器）、この音声信号をΔΣ（デルタ−シグマ）変調するΔΣ変調器等が用いられる。このパルス変調器２の出力信号をドライバ回路３に供給する。このドライバ回路３においては、次段のパルス増幅回路（電力増幅回路）４を駆動するのに最適な信号に増幅する如くする。
【００２８】
このドライバ回路３の互に位相の異なる駆動信号が得られる一方及び他方の出力端子３ａ及び３ｂを夫々パルス増幅回路４を構成するスイッチング素子例えばパワーＭＯＳ電界効果トランジスタ４ａ及び４ｂの制御端子即ちゲートに夫々接続し、このスイッチング素子４ａの一方の被制御端子例えばドレインを直流電源の正極に接続される電源端子４ｃに接続する。
【００２９】
このスイッチング素子４ａの他方の被制御端子例えばソースをスイッチング素子４ｂの一方の被制御端子例えばドレインに接続し、このスイッチング素子４ｂの他方の被制御端子例えばソースを直流電源の負極が接続されるグランドに接続する。
【００３０】
このスイッチング素子４ａの他方の被制御端子及びスイッチング素子４ｂの一方の被制御端子の接続点即ち出力端子４ｄをプリント配線板のパターンによる分布抵抗５、コイル６ａ及び直流阻止用のコンデンサ７の直列回路を介してスピーカ接続端子８の一方の端子８ａに接続し、このコイル６ａ及びコンデンサ７の接続点をコンデンサ６ｂを介して接地する。このコイル６ａ及びコンデンサ６ｂはローパスフィルタを構成し、パルス信号の復調器６を構成する。また、スピーカ接続端子８の他方の端子８ｂを接地し、このスピーカ接続端子８の一方及び他方の端子８ａ及び８ｂにスピーカ９の一方及び他方の端子を着脱自在に接続する如くする。
【００３１】
また、この出力端子４ｄをコイル５ａで蓄積されたエネルギーが原因で生じる電流（フリーホイール（Ｆｒｅｅ  Ｗｈｅｅｌｉｎｇ）電流）がこのスイッチング素子４ａ，４ｂを破壊しないように設けたダイオード１０のアノード及びダイオード１１のカソードに接続し、このダイオード１０のカソードを電源端子４ｃに接続し、このダイオード１１のアノードを接地する。
【００３２】
本例においては、復調器６の出力側即ち、コイル６ａ及びコンデンサ６ｂの接続点をダイオード２０のアノードに接続すると共にダイオード２１のカソードに接続し、このダイオード２０のカソードを直流電源の正極が接続される電源端子２２に接続し、このダイオード２１のアノードを直流電源の負極が接続されるグランドに接続する。
【００３３】
斯る本例において、スピーカ接続端子８にスピーカ９が接続されているときには、ドライバ回路３からの出力駆動信号に応じてパルス増幅回路（電力増幅回路）４のスイッチング素子４ａ及び４ｂは図７Ａ及びＢに示す如く、オン及びオフを交互に繰り返され、このパルス増幅回路４の出力端子４ｄに図７Ｃに示す如き電圧Ｖ０及び図７Ｄに示す如き電流Ｉ０のパルス信号が得られる。
【００３４】
このパルス信号はコイル６ａ及びコンデンサ６ｂより成るローパスフィルタ構成の復調器６によりアナログの音声信号に復調される。このときコイル６ａに蓄積されたエネルギーが原因で生じるフリーホイール電流はダイオード１０及び１１を介して電源端子４ｃ及びグランドに流れ、スイッチング素子４ａ及び４ｂを破壊することがない。
【００３５】
また、斯る本例において、図２に示す如くスピーカ接続端子８にスピーカ９が接続されていないときには、復調器６を構成するコイル６ａ及びコンデンサ６ｂより成るローパスフィルタは負荷であるスピーカ９が接続されていないので直列共振回路を構成することとなるが、本例においては、この復調器６の出力側即ちコイル６ａ及びコンデンサ６ｂの接続点をダイオード２０を介して電源端子２２に接続すると共にダイオード２１を介して接地したので、このダイオード２０及び２１により電圧Ｖ１が制限され、共振現象の時この復調器６の出力信号の電圧Ｖ１と比例関係にある電流Ｉ０も制限されるので、このパルス増幅回路４のスイッチング素子４ａ，４ｂを破壊することがない。
【００３６】
これにつき更に詳細に説明するに、本例による図２の復調器６のコイル６ａ及びコンデンサ６ｂは図８に示す如く直列共振回路を構成するので、供給される信号の角周波数をω、直列共振角周波数をω０及び直列共振周波数をｆ０としたときには上述の式（１）〜（８）が成立する。
【００３７】
ここで、このダイオード２０及び２１の順方向電圧（スレッショホールド電圧）をＶＦ、直流電源の電圧ＶＤとすると、復調器６の出力信号の電圧Ｖ１は以下に示す如く制限される。
−ＶＦ≦Ｖ１≦ＶＤ＋ＶＦ
∴｜Ｖ１｜≦｜ＶＤ＋２ＶＦ｜  ‥‥（９）
【００３８】
この式（８）、（９）より共振現象のときのパルス増幅回路４の出力電流Ｉ０は図３に示す如く、
0004461637.tif 000010
となり、この出力電流Ｉ０は
0004461637.tif 000011
以下の電流に制限される。
【００３９】
本例においてはこの
0004461637.tif 000012
の値を、パルス増幅回路４が破壊しない値にし且つ復調器６がこのパルス増幅回路４の出力パルス信号を復調できるようにコイル６ａのインダクタンス値Ｌ、コンデンサ６ｂの容量値Ｃ、直流電源の電圧ＶＤ及びダイオード２０，２１の順方向電圧ＶＦを決定する。
【００４０】
例えばパルス増幅回路４の最大定格電流を６Ａ、スピーカ９の負荷を３Ω、パルス変調のキャリア周波数を１ＭＨｚであったときに、コイル６ａのインダクタンス値Ｌ＝４７μＨ、コンデンサ６ｂの容量値Ｃ＝２．２μＦ、直流電源の電圧ＶＤ＝１３Ｖ、ダイオード２０，２１の順方向電圧ＶＦ＝０．７Ｖとしたときは、この電流Ｉ０は式（１０）より
0004461637.tif 000013
となり、この３．１２Ａは最大定格電流６Ａ以下であるので、このパルス増幅回路４は破壊することがない。
【００４１】
またこの例の場合、スピーカ接続端子８にスピーカ９を接続したときは、復調器６の周波数特性は図４に示す如くなるのでキャリア周波数１ＭＨｚの成分を充分に除去できるため、この復調器６での音声信号の復調は良好に行うことができる。
【００４２】
図５は本発明の実施の形態の他の例を示す。この図５において図１に対応する部分には同一符号を付して示し、その詳細説明は省略する。
【００４３】
図５例は、図１例のドライバ回路３をＢＴＬ方式のドライバ回路３０としたもので、このＢＴＬドライバ回路３０の一方の互に位相の異なる駆動信号が得られる一方及び他方の出力端子３０ａ及び３０ｂを夫々パルス増幅回路３１を構成するスイッチング素子例えばパワーＭＯＳ電界効果トランジスタ３１ａ及び３１ｂの制御端子に接続し、このスイッチング素子３１ａの一方の被制御端子を直流電源の正極が接続される電源端子３１ｃに接続する。
【００４４】
このスイッチング素子３１ａの他方の被制御端子をスイッチング素子３１ｂの一方の被制御端子に接続し、このスイッチング素子２１ｂの他方の被制御端子を直流電源の負極が接続されるグランドに接続する。
【００４５】
このスイッチング素子３１ａの他方の被制御端子及びスイッチング素子３１ｂの一方の被制御端子の接続点即ち出力端子３１ｄをコイル３２ａを介してスピーカ接続端子８の一方の端子８ａに接続し、このコイル３２ａ及びこの一方の端子８ａの接続点をコンデンサ３２ｂを介してグランドに接続する。このコイル３２ａ及びコンデンサ３２ｂはローパスフィルタを構成し、パルス信号の復調器３２を構成する。
【００４６】
また、この出力端子２１ｄをコイル３２ａで蓄積されたエネルギーが原因で生じる電流（フリーホイール（Ｆｒｅｅ  Ｗｈｅｅｌｉｎｇ）電流）がスイッチング素子３１ａを破壊しないように設けたダイオード３３のアノードに接続し、このダイオード３３のカソードを電源端子３１ｃに接続する。
【００４７】
また、この出力端子３１ｄをコイル３２ａで蓄積されたエネルギーが原因で生じる電流（フリーホイール電流）がこのスイッチング素子３１ｂを破壊しないように設けたダイオード３４のカソードに接続し、このダイオード３４のアノードを直流電源の負極が接続されるグランドに接続する。
【００４８】
本例においては、この復調器３２の出力側即ちコイル３２ａ及びコンデンサ３２ｂの接続点をダイオード３５のアノードに接続すると共にダイオード３６のカソードに接続し、このダイオード３５のカソードを直流電源の正極が接続される電源端子３７に接続し、このダイオード３６のアノードを直流電源の負極が接続されるグランドに接続する。
【００４９】
また、このＢＴＬドライバ回路３０の他方の互に位相の異なる駆動信号が得られる一方及び他方の出力端子３０ｃ及び３０ｄを夫々パルス増幅回路３８を構成するスイッチング素子例えばパワーＭＯＳ電界効果トランジスタ３８ａ及び３８ｂの制御端子に接続し、このスイッチング素子３８ａの一方の被制御端子を直流電源の正極が接続される電源端子３８ｃに接続する。
【００５０】
このスイッチング素子３８ａの他方の被制御端子をスイッチング素子３８ｂの一方の被制御端子に接続し、このスイッチング素子３８ｂの他方の被制御端子を直流電源の負極が接続されるグランドに接続する。
【００５１】
このスイッチング素子３８ａの他方の被制御端子及びスイッチング素子３８ｂの一方の被制御端子の接続点即ち出力端子３８ｄをコイル３９ａを介してスピーカ接続端子８の他方の端子８ｂに接続し、このコイル３９ａ及びこの他方の端子８ｂの接続点をコンデンサ３９ｂを介してグランドに接続する。このコイル３９ａ及びコンデンサ３９ｂはローパスフィルタを構成し、パルス信号の復調器３９を構成する。
【００５２】
また、この出力端子３８ｄをコイル３９ａで蓄積されたエネルギーが原因で生じる電流（フリーホイール（Ｆｒｅｅ  Ｗｈｅｅｌｉｎｇ）電流）がスイッチング素子３８ａを破壊しないように設けたダイオード４０のアノードに接続し、このダイオード４０のカソードを電源端子３８ｃに接続する。
【００５３】
また、この出力端子３８ｄをコイル３９ａで蓄積されたエネルギーが原因で生じる電流（フリーホイール電流）がこのスイッチング素子３８ｂを破壊しないように設けたダイオード４１のカソードに接続し、このダイオード４１のアノードをグランドに接続する。
【００５４】
本例においては、この復調器３９の出力側即ちコイル３９ａ及びコンデンサ３９ｂの接続点をダイオード４２のアノードに接続すると共にダイオード４３のカソードに接続し、このダイオード４２のカソードを直流電源の正極が接続される電源端子４４に接続し、このダイオード４３のアノードを直流電源の負極が接続されるグランドに接続する。
【００５５】
また、スピーカ接続端子８の一方及び他方の端子８ａ及び８ｂにスピーカ９の一方及び他方の端子を着脱自在に接続する如くする。
【００５６】
斯る図５例においてはＢＴＬドライバ回路３０からの出力駆動信号に応じてパルス増幅回路３１とパルス増幅回路３８とのスイッチング素子３１ａ及び３１ｂとスイッチング素子３８ａ及び３８ｂは互に逆相に図７Ａ，Ｂに示す如くオン及びオフが交互に繰り返され、このパルス増幅回路３１及び３８の出力端子３１ｄ及び３８ｄに互に逆相の図７Ｃに示す如き出力電圧及び図７Ｄに示す如き出力電流のパルス信号が得られる。
【００５７】
この出力パルス信号はコイル３２ａ及びコンデンサ３２ｂより成るローパスフィルタ構成の復調器３２とコイル３９ａ及びコンデンサ３９ｂより成るローパスフィルタ構成の復調器３９とによりアナログの音声信号に復調される。このときコイル３２ａとコイル３９ａとに蓄積されたエネルギーが原因で生じるフリーホイール電流はダイオード３３及び３４とダイオード４０及び４１とを介して電源端子３１ｃ及びグランドと電源端子３８ｃ及びグランドとに流れ、スイッチング素子３１ａ及び３１ｂとスイッチング素子３８ａ及び３８ｂを破壊することがない。
【００５８】
また本例においては、復調器３２の出力側をダイオード３５を介して電源端子３７に接続すると共にダイオード３６を介してグランドに接続し、また復調器３９の出力側をダイオード４２を介して電源端子４４に接続すると共にダイオード４３を介してグランドに接続するようにしたので、この図５例においても図１例と同様の作用効果が得られることは勿論である。
【００５９】
尚上述例においては１電源を使用した例につき述べたが、正及び負電源の２電源を用いても良いことは勿論である。この場合負電源を上述例のグランドに接続するだけで、その他は同様に構成でき、この２電源を用いた場合にも図１例同様の作用効果が得られることは容易に理解できよう。
【００６０】
また上述例では、復調器６の出力側に２個のダイオード２０及び２１を接続し、復調器３２の出力側に２個のダイオード３５及び３６を接続し、復調器３９の出力側に２個のダイオード４２及び４３を接続した例につき述べたが、この復調器６，３２，３９の出力側にいずれか一方のダイオードを接続するようにしても良い。
【００６１】
この場合復調器６，３２，３９にスピーカ９が接続されず、この復調器６，３２，３９が共振現象のときに、この復調器６，３２，３９の出力信号の電圧は増大しようとするが、このダイオードにより電圧が制限され、この復調器６，３２，３９の出力信号の電圧が制限され、この復調器６，３２，３９の出力信号の電圧と比例関係にあるこのパルス増幅回路４，３１，３８の出力電流も制限され、パルス増幅回路４，３１，３８が破壊されることがなく、このときも図１同様の作用効果が得られることは容易に理解できよう。
【００６２】
また本発明は上述例に限ることなく本発明の要旨を逸脱することなく、その他種々の構成が採り得ることは勿論である。
【００６３】
【発明の効果】
復調手段は、負荷が接続される場合にローパスフィルタとして機能し、復調手段に負荷を接続せず、復調手段の共振現象のときにこの復調手段の出力信号の電圧は増大しようとするが、本発明によればダイオードによりこの電圧が制限され、この復調手段の出力信号の電圧が制限されれば、この復調手段の出力信号の電圧と比例関係にあるこのパルス増幅手段の出力電流も制限され、このパルス増幅手段が破壊されることがない。
【図面の簡単な説明】
【図１】本発明音声信号再生装置の実施の形態の例を示す構成図である。
【図２】図１のスピーカを接続しない例を示す構成図である。
【図３】復調器が構成する直列共振回路の周波数特性の例を示す線図である。
【図４】復調器の周波数特性の例を示す線図である。
【図５】本発明の実施の形態の他の例を示す構成図である。
【図６】従来の音声信号再生装置の例を示す構成図である。
【図７】音声信号再生装置の説明に供する線図である。
【図８】図６のスピーカを接続しない例を示す構成図である。
【図９】直列共振回路の周波数特性を示す線図である。
【符号の説明】
１‥‥音声信号入力端子、２‥‥パルス変調器、３‥‥ドライバ回路、４‥‥パルス増幅回路、６‥‥復調器、８‥‥スピーカ接続端子、９‥‥スピーカ、２０，２１‥‥ダイオード
【図１】
0004461637.tif 000014
【図２】
0004461637.tif 000015
【図３】
0004461637.tif 000016
【図４】
0004461637.tif 000017
【図５】
0004461637.tif 000018
【図６】
0004461637.tif 000019
【図７】
0004461637.tif 000020
【図８】
0004461637.tif 000021
【図９】
0004461637.tif 000022